(57)【要約】【課題】ＩＣカードから読み取った情報の取り消しを容易に行えるようにする。【解決手段】タイムレコーダ１のＩＣカード読取部１２は、ＩＣカードを近接させたときにＩＣカードに記録されたＩＤを読み取る。タイムレコーダ１は、操作パネル部１１にキャンセルキー２２を備える。タイムレコーダ１は、記憶装置を内蔵し、操作部で操作された情報を記憶装置に記憶する。タイムレコーダ１は、キャンセルキー２２が押下されると、ＩＣカード読取部１２がＩＣカードのＩＤを読み取ったときに記憶装置に記憶されたＩＤに対応する情報を消去する。【選択図】図１
2007148841.tif 000002
【特許請求の範囲】
【請求項１】
カードに記録された識別情報を読み取るカード読取部と、
前記識別情報と対応付けて記憶する管理情報を選択する選択操作部と、
前記識別情報と前記管理情報とを対応させて記憶する記憶部と、
前記記憶部に記憶された前記管理情報を無効とするために操作される取り消し操作部と、
前記カード読取部が前記識別情報を読み取ったときに、この読み取られた識別情報と選択されている前記管理情報とを対応付けて前記記憶部に記憶し、前記取り消し操作部が操作された後に前記カード読取部が前記識別情報を読み取ったときに、この読み取られた識別情報と対応付けられて前記記憶部に記憶された前記管理情報を無効とする制御を行う制御部と、
を備えることを特徴とするカード読取装置。
【請求項２】
前記制御部が、前記識別情報と前記管理情報とを対応付けて前記記憶部に記憶してから予め設定された時間内に前記取り消し操作部が操作された後に前記カード読取部が前記識別情報を読み取ったときに、前記記憶部に記憶された前記管理情報を無効とする、
ことを特徴とする請求項１に記載のカード読取装置。
【請求項３】
情報を収集する情報収集端末に接続され、
前記情報収集端末から情報送信命令を受信したときは、前記識別情報と前記管理情報とを前記記憶部から読み出して前記情報収集端末に送信し、前記識別情報と前記管理情報とを前記情報収集端末に送信した後に前記取り消し操作部が操作されたときは、前記情報収集端末に、前記管理情報を無効とするように指示する消去指示情報を送信する通信制御部を備えた、
ことを特徴とする請求項１又は２に記載のカード読取装置。
【請求項４】
前記制御部が、所定期間、前記選択操作部による選択操作がないときには所定の管理情報を選択し、前記カード読取部が前記識別情報を読み取ったときに、この読み取られた識別情報と前記所定の管理情報とを対応付けて前記記憶部に記憶する制御を行うことを特徴とする請求項１乃至３のいずれか１項に記載のカード読取装置。
【請求項５】
前記制御部が、前記識別情報と、この識別情報と対応付けられた前記管理情報とを前記記憶部から消去することにより、前記記憶部に記憶された前記管理情報を無効とすることを特徴とする請求項１乃至４のいずれか１項に記載のカード読取装置。
【請求項６】
前記制御部が、前記カード読取部が前記識別情報を読み取ったときの時刻情報を、前記識別情報及び前記管理情報を記憶するときに前記識別情報及び前記管理情報と対応付けて前記記憶部に記憶し、前記管理情報を無効とするときには、この管理情報と対応付けられた時刻情報をも無効とすることを特徴とする請求項１乃至５のいずれか１項に記載のカード読取装置。
【発明の詳細な説明】
【技術分野】
【０００１】
本発明は、カード読取装置に関するものである。
【背景技術】
【０００２】
従来より、例えば、非接触式のＩＣカード等に記録されている情報を読み取るカード読取装置が知られている（例えば、特許文献１参照）。
かかるカード読取装置は、例えば、勤怠管理システム、昼食予約システムに利用される。
【０００３】
このようなシステムにおいて、このＩＣカードには、シリアル番号等の識別情報(以下、ＩＤともいう)が記録されている。ＩＤは、ＩＣカードの使用者、例えば、社員コードのような個人情報と対応付けて利用されるものである。なお、ＩＣカードにＩＤとともにこれらの個人情報を記録してもよいし、この対応付けのためのデータベースを別途に設けて利用時にＩＤを基に対応付けから必要な個人情報を呼び出すようにしてもよい。ＩＣカードを、このカード読取装置に近接させることにより、カード読取装置は、ＩＣカードに記録された識別情報を読み取る。
【０００４】
また、カード読取装置には、出勤、退勤といった個人の管理情報を入力するためのファンクションキーが備えられ、使用者によって、このファンクションキーが押下されることにより、管理情報が入力される。
【特許文献１】特開平５−１０１２４０号公報（第２頁、図１，４）
【発明の開示】
【発明が解決しようとする課題】
【０００５】
しかし、従来のカード読取装置では、ＩＣカードを手に保持したまま、ファンクションキーを操作しようとすると、操作がされないうちにＩＣカードが読み取られて誤った管理情報を読み込んでしまう場合がある。この場合、入力情報の修正を行うことができないため、管理者によって誤った情報を削除してもらわない限り、入力情報の修正を行うことができない。
【０００６】
本発明は、このような従来の問題点に鑑みてなされたもので、読み取った情報の取り消しを容易に行うことが可能なカード読取装置を提供することを目的とする。
【課題を解決するための手段】
【０００７】
この目的を達成するため、本発明の第１の観点に係るカード読取装置は、
カードに記録された識別情報を読み取るカード読取部と、
前記識別情報と対応付けて記憶する管理情報を選択する選択操作部と、
前記識別情報と前記管理情報とを対応させて記憶する記憶部と、
前記記憶部に記憶された前記管理情報を無効とするために操作される取り消し操作部と、
前記カード読取部が前記識別情報を読み取ったときに、この読み取られた識別情報と選択されている前記管理情報とを対応付けて前記記憶部に記憶し、前記取り消し操作部が操作された後に前記カード読取部が前記識別情報を読み取ったときに、この読み取られた識別情報と対応付けられて前記記憶部に記憶された前記管理情報を無効とする制御を行う制御部と、
を備えることを特徴とする。
【０００８】
前記制御部が、前記識別情報と前記管理情報とを対応付けて前記記憶部に記憶してから予め設定された時間内に前記取り消し操作部が操作された後に前記カード読取部が前記識別情報を読み取ったときに、前記記憶部に記憶された前記管理情報を無効とするようにしてもよい。
【０００９】
情報を収集する情報収集端末に接続され、
前記情報収集端末から情報送信命令を受信したときは、前記識別情報と前記管理情報とを前記記憶部から読み出して前記情報収集端末に送信し、前記識別情報と前記管理情報とを前記情報収集端末に送信した後に前記取り消し操作部が操作されたときは、前記情報収集端末に、前記管理情報を無効とするように指示する消去指示情報を送信する通信制御部を備えてもよい。
【００１０】
前記制御部が、所定期間、前記選択操作部による選択操作がないときには所定の管理情報を選択し、前記カード読取部が前記識別情報を読み取ったときに、この読み取られた識別情報と前記所定の管理情報とを対応付けて前記記憶部に記憶する制御を行うようにしてもよい。
【００１１】
前記制御部が、前記識別情報と、この識別情報と対応付けられた前記管理情報とを前記記憶部から消去することにより、前記記憶部に記憶された前記管理情報を無効とするようにしてもよい。
【００１２】
前記制御部が、前記カード読取部が前記識別情報を読み取ったときの時刻情報を、前記識別情報及び前記管理情報を記憶するときに前記識別情報及び前記管理情報と対応付けて前記記憶部に記憶し、前記管理情報を無効とするときには、この管理情報と対応付けられた時刻情報をも無効とするようにしてもよい。
【発明の効果】
【００１３】
本発明によれば、読み取った情報の取り消しを安全且つ容易に行うことができる。
【発明を実施するための最良の形態】
【００１４】
以下、本発明の実施形態に係るカード読取装置を、図面を参照して説明する。尚、本実施形態では、カード読取装置を、時刻の登録を行うタイムレコーダとして説明する。
【００１５】
本実施形態に係るタイムレコーダ１の外観を図１に示す。
本実施形態に係るタイムレコーダ１には、操作パネル部１１と、ＩＣカード読取部１２と、液晶ディスプレイ１３と、が配置される。このタイムレコーダ１は、例えば、出退勤管理、食堂管理、入退室管理等に用いられる。
【００１６】
操作パネル部１１は、ファンクションの選択等、操作を行うためのパネル部であり、ファンクションキー２１ａ〜２１ｃと、キャンセルキー２２と、ファンクション表示パネル２３ａ〜２３ｃと、キャンセル表示パネル２４と、ファンクション表示ＬＥＤ２５ａ〜２５ｃと、キャンセル表示ＬＥＤ２６と、正読み表示ＬＥＤ２７と、誤読み表示ＬＥＤ２８と、を備える。
【００１７】
ファンクションキー２１ａ〜２１ｃは、ファンクションを選択するためのキーであり、出勤時間、外出時間、退勤時間といった個人の管理情報を入力するために操作されるキーである。ファンクションキー２１ａ，２１ｂ，２１ｃは、それぞれ、出勤時、外出時、退勤時に押下するためのキーである。
【００１８】
キャンセルキー２２は、後述する記憶装置３１にＩＤと対応付けて記憶された管理情報をＩＤとともに無効とするために操作されるキーである。本例では、後述する記憶装置から管理情報を消去することにより、管理情報を無効とする。
【００１９】
ファンクション表示パネル２３ａ〜２３ｃは、各ファンクションキー２１ａ〜２１ｃの内容を表示するものである。例えば、ファンクション表示パネル２３ａ〜２３ｃは、ファンクションキー２１ａ〜２１ｃが、それぞれ、出勤、外出、退勤に関するキーであることを示す。
【００２０】
ファンクション表示ＬＥＤ２５ａ〜２５ｃは、各ファンクションキー２１ａ〜２１ｃが押下されたときに点灯するＬＥＤである。
キャンセル表示ＬＥＤ２６は、キャンセルキー２２が押下されたときに点灯するＬＥＤである。
【００２１】
正読み表示ＬＥＤ２７は、ＩＣカードの読み込みが成功したときに点灯するＬＥＤである。
誤読み表示ＬＥＤ２８は、ＩＣカードの読み込みが失敗したときに点灯するＬＥＤである
【００２２】
ＩＣカード読取部１２は、ＩＣカードを近接させたときにＩＣカードに記録されたシリアル番号等の識別情報（以下、ＩＤという）を読み取るためのものである。ＩＣカードには、ＩＤとともに社員コード、氏名といった個人情報も記憶される。
液晶ディスプレイ１３は、日時、入力情報等を表示するためのものである。
【００２３】
かかるタイムレコーダ１は、図２に示すように、制御部３０を備える。制御部３０は、記憶装置３１と、時計部３２と、操作部３３と、表示部３４と、ＲＯＭ３５と、ＲＡＭ３６と、Ｉ／Ｏインタフェース３７と、ＣＰＵ３８と、を備える。
【００２４】
記憶装置３１は、ＩＣカードから読み取った情報及びファンクションキー２１ａ〜２１ｃの情報を記憶するためのものである。記憶装置３１は、半導体メモリによって構成されてもよいし、また、ＨＤＤによって構成されてもよい。
【００２５】
時計部３２は、時刻を計測するものである。操作部３３は、ファンクションキー２１ａ〜２１ｃ、キャンセルキー２２が押下されたときに、その操作情報をＣＰＵ３８に供給するためのものである。
【００２６】
表示部３４は、ファンクション表示ＬＥＤ２５ａ〜２５ｃ、キャンセル表示ＬＥＤ２６、正読み表示ＬＥＤ２７、誤読み表示ＬＥＤ２８の点灯制御を行うためのものであり、ＣＰＵ３８から点灯する指令が供給されて対応するＬＥＤを点灯する。
【００２７】
ＲＯＭ３５は、ＣＰＵ３８が実行するプログラムを記憶するためのものであり、ＲＡＭ３６は、ＣＰＵ３８の作業に必要な情報を記憶するためのものである。Ｉ／Ｏインタフェース３７は、情報の入出力処理を行うものである。
【００２８】
ＣＰＵ３８は、タイムレコーダ１全体を制御するためのものである。
具体的に、ＣＰＵ３８は、操作部３３からファンクションキー２１ａ〜２１ｃのいずれかが押下されたと判定した場合には、ファンクションキー２１ａ〜２１ｃのいずれかに対応するファンクション表示ＬＥＤ２５ａ〜２５ｃのいずれかを点灯するように表示部３４に指示する。そして、ＣＰＵ３８は、記憶装置３１にＩＤと管理情報とを記憶する。
【００２９】
ＣＰＵ３８は、ＩＣカード読取部１２がＩＣカードに記録された情報を読み取ると、読み取った情報をＩＣカード読取部１２から取得する。そして、ＣＰＵ３８は、記憶装置３１にＩＤと管理情報とを記憶する。
【００３０】
次に、ＣＰＵ３８は、予め設定された時間内、例えば、１５秒以内にキャンセルキー２２が押下されたか否かを判定する。このため、ＣＰＵ３８は、時計部３２が計測した時間に基づいて計時を開始する。
【００３１】
予め設定された時間以内にキャンセルキー２２が押下された場合には、ＣＰＵ３８は、ＩＣカードからＩＤが読み取られたときに記憶装置３１に記憶されたＩＤに対応する管理情報を消去する。尚、ＲＯＭ３５は、この予め設定された時間の情報を記憶する。
【００３２】
また、ＣＰＵ３８は、時計部３２が計時した時刻を液晶ディスプレイ１３に表示するように表示部３４に指示する。
【００３３】
ＣＰＵ３８は、Ｉ／Ｏインタフェース３７を介して情報送信命令を受け取った場合、この命令に従って、ＩＤと管理情報とを記憶装置３１から読み出して、情報送信命令の送信元に出力する。
【００３４】
かかるタイムレコーダ１は、例えば、図３に示すようなタイムデータ収集システム４０に組み込まれる。
図３に示すタイムデータ収集システム４０は、タイムレコーダ１−１〜１−４と、ＬＡＮ（Local Area Network）４１−１，４１−２と、ＷＡＮ（Wide Area Network）４２と、ルータ４３−１，４３−２と、情報収集端末４４と、からなる。
【００３５】
タイムレコーダ１−１〜１−４は、図１、２に示す構成を有するものである。タイムレコーダ１−１，１−２は、例えば、情報収集端末４４と同じ所内に配置され、ＬＡＮ４１−１を介して情報収集端末４４に接続される。
【００３６】
タイムレコーダ１−３，１−４は、情報収集端末４４とは異なる事業所等に配置され、ＬＡＮ４１−２、ルータ４３−２、ＷＡＮ４２、ルータ４３−１、ＬＡＮ４１−１を介して、情報収集端末４４に接続される。
【００３７】
情報収集端末４４は、ＬＡＮ４１−１，ＬＡＮ４１−２、ＷＡＮ４２を介して、タイムレコーダ１−１〜１−４に入力された情報、記憶装置３１に記憶された情報を収集するためのものであり、ＣＰＵ、ＲＯＭ、ＲＡＭ、記憶装置等を備える（図示せず）。
【００３８】
情報収集端末４４は、タイムレコーダ１−１〜１−４から情報を収集するときは、タイムレコーダ１−１〜１−４の各ＣＰＵ３８に情報送信命令を出力する。そして、この情報収集端末４４は、収集した情報に基づいて出退勤管理、食堂管理、入退室管理等を行う。
【００３９】
次に本実施形態に係るタイムレコーダ１の動作を説明する。
ＣＰＵ３８は、図４に示すフローチャートに基づいて情報入力処理を実行する。
即ち、ＣＰＵ３８は、ファンクションキー２１ａ〜２１ｃのいずれかが押下されたか否かを判定する（ステップＳ１１）。
【００４０】
ファンクションキー２１ａが押下された場合（ステップＳ１１においてＹｅｓ）、ＣＰＵ３８は、ファンクションキー２１ａに対応するファンクションを選択する（ステップＳ１２）。
【００４１】
例えば、ＣＰＵ３８は、ファンクションキー２１ａに割り当てられた出勤時刻を表すコードを管理情報として選択する。同様にファンクションキー２１ｂが押されると、ＣＰＵ３８は、これに割り当てられた外出時刻を表すコードを管理情報として選択し、ファンクションキー２１ｃが押されると、これに割り当てられた退勤時刻を表すコードを管理情報として選択する。
【００４２】
このようにファンクションキー２１ａ〜２１ｃのいずれかが押下された場合、ＣＰＵ３８は、ファンクション表示ＬＥＤ２５ａ〜２５ｃのうち、対応するものを点灯するように表示部３４に指示する。
【００４３】
また、ファンクションキー２１ａ〜２１ｃのいずれかが押下された場合、ＣＰＵ３８は、ファンクションキーの操作にて選択されたファンクションを所定期間有効とするためにタイマをオンとし、換言すれば、タイマ処理を開始する（ステップＳ１３）。
【００４４】
以下、このタイマをファンクションタイマという。ファンクションタイマは、ＣＰＵ３８により実行されるタイマ処理で所定期間の後にオフされる。この期間は例えば３０秒等とする。
【００４５】
また、ＣＰＵ３８は、ファンクションタイマをオンとすると、キャンセルタイマをオフとする（ステップＳ１４）。キャンセルタイマは、キャンセルキー２２が押下された場合にＣＰＵ３８により実行されるタイマであり、キャンセルキー２２の操作にて選択されたキャンセル処理を所定期間有効とするためのものである。ＣＰＵ３８は、所定期間の後にキャンセルタイマをオフする。
【００４６】
この期間は例えば３０秒等とする。ステップＳ１４の処理によって、ファンクションキー２１ａ〜２１ｃのいずれかが押下された場合、ＣＰＵ３８は、キャンセル処理を解除する。
【００４７】
次に、ＩＣカードがＩＣカード読取部１２に近接されると、ＩＣカード読取部１２は、ＩＣカードに記録されているＩＤを読み取る。ＣＰＵ３８は、ＩＣカード読取部１２がＩＣカードを読み取ったと判定した場合（ステップＳ１５においてＹｅｓ）、ＩＣカード読取部１２が読み取ったＩＤを取得する。
【００４８】
ＣＰＵ３８は、ここで、キャンセルタイマがオンか否か、すなわち、キャンセル処理が有効か否か判定する（ステップＳ１６）。キャンセルタイマがオフであってキャンセル処理が解除されていれば（ステップＳ１６においてＮｏ）、ＣＰＵ３８は、ＩＤを読み取ったときの時計部３２が計時している時刻情報と、上述の通り選択された管理情報と、ＩＤとを記憶装置３１に記憶する（ステップＳ１７）。ＣＰＵ３８は、ＩＤと管理情報と時刻情報とを対応付けて１つのレコードとして記憶装置３１に記憶する。
【００４９】
ＣＰＵ３８は、ＩＣカードから読み取ったＩＤと対応付けしてタイマ処理を開始する。換言すれば、ＣＰＵ３８は、タイマをオンとする（ステップＳ１８）。以下、このタイマ処理をＩＤタイマという。
【００５０】
ＩＤタイマは、ＩＤ毎に実行されるものであって、管理情報と時刻情報とを記憶して所定期間だけ消去を可能とするためのものであり、実行から所定期間の後にオフとされる。この期間は、例えば３０分間等とする。
【００５１】
また、ステップＳ１８の処理の後、ＣＰＵ３８は、ファンクションタイマをオフとする（ステップＳ１９）。一度ファンクションキーが操作され、ＩＣカードが読み取られれば、ファンクションキーの操作で選択されたファンクションは用済みとみなせるから、ステップＳ１９の処理によってファンクションの選択を解除する。
【００５２】
ＣＰＵ３８は、キャンセルキー２２が押下されたか否かを判定する（ステップＳ２０）。ＣＰＵ３８は、キャンセルキー２２が押下された場合（ステップＳ２０においてＹｅｓ）、キャンセルタイマをオンとし、換言すれば、キャンセルタイマの処理を開始する（ステップＳ２１）。
【００５３】
ＣＰＵ３８は、キャンセルタイマをオンとした後、ＣＰＵ３８は、ファンクションタイマをオフとする（ステップＳ２２）。キャンセルキー２２が操作される場合はファンクションキーの操作で選択されたファンクションは用済みであるから、ＣＰＵ３８は、ステップＳ２２の処理を実行してファンクションの選択を解除する。
【００５４】
また、キャンセルキー２２が押下されたと判定した場合、ＣＰＵ３８は、キャンセル表示ＬＥＤ２６を点灯するように表示部３４に指示する。
【００５５】
ＣＰＵ３８は、図示しないリセットスイッチの操作にて指示される処理停止の指示がないか判定して（ステップＳ２３）、ステップＳ１１の処理に戻る。処理停止であれば、ＣＰＵ３８は処理を停止する(終了)。
【００５６】
ここで、キャンセルキー２２が押下された直後とすると、ファンクションキーの操作はなく（ステップＳ１１）、ファンクションタイマがオフとなっている。ＣＰＵ３８は、ファンクションタイマがオフとなっていることを判定し（ステップＳ２４においてＮｏ）、所定のファンクションを選択する（ステップＳ２５）。
【００５７】
所定のファンクションとは、ファンクションキー２１ａ〜２１ｃのいずれも操作されない状態で、選択されるものである。あるものに固定としてもよいが、時計部３２が計時する時刻に応じて選択されるファンクションとしてもよい。
【００５８】
例えば、午前８時から午前９時までは所定のファンクションとして出勤時刻を表すコードを管理情報として選択し、午前９時から午後５時までは所定のファンクションとして外出時刻を表すコードを管理情報として選択し、午後５時から午後６時までは所定のファンクションとして退勤時刻を表すコードを管理情報として選択する。
【００５９】
この場合、通常の勤務スケジュールの使用者により各時間帯に操作されるであろうファンクションキーに対応するファンクションを自動選択するようにしてあるため、操作の手間を省くことが可能となる。通常と異なる勤務スケジュールの使用者はファンクションキーを操作して望みのファンクションを指定することとなる。
【００６０】
使用者がキャンセルキー２２を押下した後にＩＣカードを、ＩＣカード読取部１２に近接すると、ＩＣカード読取部１２は、ＩＣカードに記録されているＩＤを読み取り、ＣＰＵ３８は、ＩＣカード読取部１２が読み取ったＩＤを取得する（ステップＳ１５においてＹｅｓ）。
【００６１】
ＣＰＵ３８は、ここで、キャンセルタイマがオンか否か、すなわち、キャンセル処理が有効か否か判定する（ステップＳ１６）。ここでは、キャンセルキー２２が押下されているので、ＣＰＵ３８は、キャンセル処理が有効であると判定する（ステップＳ１６においてＹｅｓ）。
【００６２】
この場合、ＣＰＵ３８は、取得したＩＤに対応するＩＤタイマがオンであるか、すなわち、取得したＩＤに対応する管理情報等が消去可能な期間にあるか判定する（ステップＳ２６）。
【００６３】
ＩＤタイマがオンであれば（ステップＳ２６においてＹｅｓ）、取得したＩＤに対応する管理情報が消去可能な期間にあるので、ＣＰＵ３８は、取得したＩＤに対応するレコードを消去する（ステップＳ２７）。
【００６４】
ここでは、消去可能な期間にある総てのレコードを消去する。これに限らず、表示部３４に順次消去可能なレコードを表示させて、所定のファンクションキーが押下操作される毎に順次消去するようにしてもよく、適宜に変更可能である。
【００６５】
また、ステップＳ２６において、ＩＤタイマがオフであれば、換言すれば、取得したＩＤに対応してタイマ処理が実行されていなければ（ステップＳ２６においてＮｏ）、取得したＩＤに対応する管理情報が消去可能な期間にないので、ＣＰＵ３８は、表示部３４にその旨の表示を行うように指示する（ステップＳ２８）。
【００６６】
また、ＣＰＵ３８は、取得したＩＤに対応する管理情報の消去または消去可能な期間にない旨の表示の後、用済みとなったキャンセルタイマをオフとする（ステップＳ２９）。次にＣＰＵ３８は、処理停止の指示がないか判定して（ステップＳ２３）、ステップＳ１１の処理に戻る。
【００６７】
ここで、ファンクションキーの操作はなく（ステップＳ１１）、ファンクションタイマがオフとなっている。ＣＰＵ３８は、ファンクションタイマがオフとなっていることを判定し（ステップＳ２４においてＮｏ）、所定のファンクションを選択する（ステップＳ２５）。
【００６８】
ここで、ＩＣカードがＩＣカード読取部１２に近接されると、ＣＰＵ３８は、ＩＣカード読取部１２が読み取ったＩＤを取得する（ステップＳ１５においてＹｅｓ）。ＣＰＵ３８は、ここではキャンセルタイマがオフであるので（ステップＳ１６においてＮｏ）、ＩＤを読み取ったときの時計部３２が計時している時刻情報と、上述の通り所定のファンクションが定める管理情報とを含むレコードを記憶装置３１に記憶する（ステップＳ１７）。
【００６９】
次にＣＰＵ３８は、ステップＳ１８に続く処理を繰り返す。この間、ステップＳ２４においてＹｅｓの場合、ファンクションキー２１ａ〜２１ｃのいずれかが操作されてから所定期間にあって操作により選択されたファンクションが有効である。
【００７０】
このため、ＣＰＵ３８は、ステップＳ２５の処理を飛ばしてステップＳ１５のＩＤを読み取ったか否かの判定処理を行う。また、ＣＰＵ３８は、ステップＳ１５においてＮｏの場合、ステップＳ１７〜Ｓ１９の処理を飛ばしてステップＳ２０のキャンセルキー２２が押下されたか否かの判定処理を行う。
【００７１】
また、ＣＰＵ３８は、ステップＳ２０においてＮｏの場合、ステップＳ２１、Ｓ２２の処理を飛ばしてステップＳ２３の処理停止か否かの判定処理を行う。
【００７２】
情報収集端末４４は、タイムレコーダ１−１〜１−４の各記憶装置３１が記憶する情報を収集する場合、タイムレコーダ１−１〜１−４に、情報送信命令を送信する。そして、この情報収集端末４４は、収集した情報に基づいて出退勤管理、食堂管理、入退室管理等を行う。
【００７３】
タイムレコーダ１−１〜１−４の各ＣＰＵ３８は、それぞれ、記憶装置３１から情報を読み出し、読み出した情報を情報収集端末４４に送信する。情報収集端末４４は図示しない記憶領域にレコードを記憶して後の処理に用いる。また、タイムレコーダ１−１〜１−４の各ＣＰＵ３８は、送信済みの情報において上述した消去可能なレコードがあり、消去操作がされた場合、情報収集端末４４に消去を指示する消去指示情報を送信する。情報収集端末４４はこれに基づいて目的のレコードを記憶領域から消去して無効とする。この場合、情報収集端末４４の記憶領域からレコードを消去するのに限らず、情報収集端末４４の記憶領域のレコードに無効を示すフラグを添えて、情報収集端末４４での後の処理に用いないようにしても良い。
【００７４】
以上説明したように、本実施形態によれば、誤って読み込んだ情報を簡便な手順で消去することができる。このため、安心してキーを操作することができる。消去の際には消去すべき情報の記憶の際に用いたＩＣカードからＩＤを読み取って、対応するＩＤの情報のみを消去するため、誤って他のＩＤの情報を消去することがなく、消去誤りが他の情報に波及することを抑えることもでき、安全な消去手順をも実現できる。また、上位ホストのアプリケーションで出退勤情報を集計する際にも、誤った情報を除外する手間が省け、管理効率を向上させることができる。
【００７５】
尚、本発明を実施するにあたっては、種々の形態が考えられ、上記実施の形態に限られるものではない。
例えば、上記実施の形態では、カード読取装置をタイムレコーダ１として説明した。しかし、これに限られるものではなく、例えば、昼食管理システム等にも用いられる。
【００７６】
また、キャンセルキー２２とともに、従来のようなＹＥＳ、ＮＯキーを備え、一旦情報の入力時に、情報の入力確認を行うように構成されてもよい。このようにすれば、情報を記憶装置３１に記憶する前に、情報を消去することができる。情報が記憶装置３１に記憶された後は、キャンセルキー２２が押下されることにより、記憶装置３１が記憶する情報を消去する。このように、ＹＥＳ、ＮＯキーと、キャンセルキー２２とを併用することにより、より容易に情報の取り消しを行うことができる。
【００７７】
ファンクションキー２１ａ〜２１ｃ、キャンセルキー２２は、液晶ディスプレイ１３に表示させて押下するタッチパネル式のものであってもよい。
【００７８】
上記実施形態では、ファンクションキーを４つとした。しかし、これに限られるものではなく、例えば、１つのキーで押下する毎に、ファンクションを変更し、キャンセルキーも、この１つのキーに含まれるようにしてもよい。さらに、５つ以上であってもよいし、例えば、ファンクションキーをテンキー等によって構成されてもよい。
【００７９】
上記実施形態では、タイムレコーダ１の制御部３０の記憶装置３１に情報を記憶するようにした。しかし、ＩＣカードに情報を記憶することもできる。
【００８０】
上記実施形態では、記憶装置３１にＩＤと対応付けて記憶された管理情報、すなわち、レコードを記憶装置３１から消去することにより、レコードを無効としたが、これに限るものではない。無効としたことを示すフラグをレコードに対応付けて記憶装置３１することにより、レコードを無効としてもよい。
【図面の簡単な説明】
【００８１】
【図１】本発明の実施形態に係るタイムレコーダの正面図である。
【図２】図１に示すタイムレコーダが内蔵する制御部の構成を示すブロック図である。
【図３】図１に示すタイムレコーダをタイムデータ収集システムに適用した場合の構成を示す図である。
【図４】図２に示す制御部が実行する情報入力処理（その１）を示すフローチャートである。
【図５】図２に示す制御部が実行する情報入力処理（その２）を示すフローチャートである。
【符号の説明】
【００８２】
１  タイムレコーダ
１１  操作パネル部
１２  ＩＣカード読取部
２１ａ〜２１ｃ  ファンクションキー
２２  キャンセルキー
３１  記憶装置
３８  ＣＰＵ
４４  情報収集端末
【図１】
2007148841.tif 000003
【図２】
2007148841.tif 000004
【図３】
2007148841.tif 000005
【図４】
2007148841.tif 000006
【図５】
2007148841.tif 000007